(57)【特許請求の範囲】
【請求項１】
光源からの光を入光する入光用穴部、および、該入光用穴部から入光された光を外周縁部の位置から外表面側へ向けて出射させる出射部を有する導光体と、
前記出射部を除いて、前記導光体の外表面を覆う遮光部材と、
前記入光用穴部に挿入配置されて、光源からの光を前記出射部へ向けて反射させる入光部材と、を有することを特徴とする車両用照明装置。
【請求項２】
請求項１に記載の車両用照明装置であって、
前記入光部材が、光源の表面を覆う光源保護カバーに対して一体に形成されたことを特徴とする車両用照明装置。
【請求項３】
請求項１または請求項２に記載の車両用照明装置であって、
前記導光体と前記遮光部材とが、一体に形成されたことを特徴とする車両用照明装置。
【請求項４】
請求項１ないし請求項３のいずれか１項に記載の車両用照明装置が、底面と側壁面とを有して飲料容器を収容保持可能な有底容器状のカップホルダ本体に対し、底面が遮光部材で覆われるように設置されたことを特徴とするカップホルダ。
【発明の詳細な説明】
【技術分野】
【０００１】
この発明は、車両用照明装置およびカップホルダに関するものである。
【背景技術】
【０００２】
自動車などの車両には、車室内に、例えばカップホルダなどの内装部品が設けられている（例えば、特許文献１参照）。
【０００３】
そして、上記カップホルダなどの内装部品に対し、照明装置（車両用照明装置）を取付けて、その内部を照明できるようにすることが行われている。この照明装置には、光源からの光を導く導光体を有するものが存在している。そして、この導光体の上部（外表面）に導光体を覆う遮光部材を設けて、遮光部材で照明状態や照明効果を設定・調整することも検討されている。
【先行技術文献】
【特許文献】
【０００４】
【特許文献１】特開２００２−１２０６３０号公報
【発明の概要】
【発明が解決しようとする課題】
【０００５】
導光体の上部に遮光部材を設けた場合、光源からの光を導光体へ入光させる際に、遮光部材が影響を与えるおそれがあるため、入光部分を工夫する必要がある。
【０００６】
そこで、本発明は、上記した問題点を解決することを、主な目的としている。
【課題を解決するための手段】
【０００７】
上記課題を解決するために、本発明は、
光源からの光を入光する入光用穴部、および、該入光用穴部から入光された光を外周縁部の位置から外表面側へ向けて出射させる出射部を有する導光体と、
前記出射部を除いて、前記導光体の外表面を覆う遮光部材と、
前記入光用穴部に挿入配置されて、光源からの光を前記出射部へ向けて反射させる入光部材と、を有する車両用照明装置を特徴としている。
【発明の効果】
【０００８】
本発明によれば、上記構成により、遮光部材が導光体への入光に影響を与えるのを防止することができる。
【図面の簡単な説明】
【０００９】
【図１】本実施の形態の実施例にかかるカップホルダの斜視図である。
【図２】図１の縦断面図である。
【図３】飲料容器を収容した図２の部分拡大断面図である。
【図４】別の飲料容器を収容した図２の部分拡大断面図である。
【図５】カップホルダの底面における中心部分の拡大断面図である。
【図６】カップホルダの底面における外周部分の拡大断面図である。
【図６Ａ】図６を拡大した汚れ防止用高さを示す図である。
【図７】導光体を上方から見た図である。
【発明を実施するための形態】
【００１０】
以下、本実施の形態を、図面を用いて詳細に説明する。
図１〜図７は、この実施の形態を説明するためのものである。
【実施例１】
【００１１】
＜構成＞以下、この実施例の構成について説明する。
【００１２】
自動車などの車両には、車室内に、図１の斜視図、図２の縦断面図に示すような、カップホルダ１などの内装部品が設けられる。このカップホルダ１は、図３または図４の拡大断面図に示すように、底面２と側壁面３とを有して飲料容器４を収容保持可能な有底容器状のカップホルダ本体５を備えたものなどとされる。
【００１３】
ここで、図のカップホルダ１は、飲料容器４を２個並べて収容可能な２つの容器収容部を有する二連形状のものとされている。このカップホルダ１は、例えば、運転席と助手席との間に設置されるセンターコンソールなどに設けられる。カップホルダ本体５の側壁面３には、飲料容器４の側面を押圧保持可能な可動フラップ７が出入可能に設けられている。この可動フラップ７は、図示しない付勢手段によって突出方向に付勢されている。但し、カップホルダ１の構造は、上記に限るものではない。
【００１４】
そして、上記したカップホルダ１などのような内装部品に対し、照明装置１０（車両用照明装置）を取付けて、その内部を照明できるようにする。なお、この照明装置１０を取付けることができる内装部品は、上記したカップホルダ１に限るものではないが、この実施例では、カップホルダ１に対して照明装置１０を取付けた例で説明する。
【００１５】
（１）図３（または図４）に示すように（図５、図６の部分拡大図も併せて参照）、上記した照明装置１０は、光源１２からの光１３を入光する入光用穴部１４、および、この入光用穴部１４から入光された光１３を外周縁部の位置から外表面側へ向けて出射させる出射部１７を有する導光体１１と、
上記出射部１７を除いて、上記導光体１１の外表面（この場合には上面）を覆う遮光部材１９と、
上記入光用穴部１４に挿入配置されて、光源１２からの光１３を上記出射部１７へ向けて反射させる入光部材１５と、を有する。
【００１６】
ここで、照明装置１０は、角度の異なる２つの面（例えば、底面２と側壁面３）を有する照明取付部（カップホルダ本体５の内奥部）に対して、第一の面（底面２）を遮光部材１９で覆うように取付けるのが好ましいものとなっている。これにより、第一の面（底面２）と第二の面（側壁面３）との境界部分から第二の面（側壁面３）に沿って（この場合には、下から照らし上げるように）延びる光１３の帯（図２の照明光１３ａ参照）ができるような間接照明を行なうことができる。この場合、照明光１３ａは、上方へ進むに従って徐々に薄くなるようなグラデーションを発生するものとなる。
【００１７】
光源１２には、例えば、ＬＥＤなどが使用される。光源１２は、導光体１１の中心位置またはその周辺に設けるのが光１３を均等に分散させるためには好ましい。光源１２は、基板１２ａに取付けられて、基板ケース１２ｂ内に収容設置される。
【００１８】
入光用穴部１４は、光源１２のほぼ真上となる位置に設けられる。この場合には、入光用穴部１４は、導光体１１の内側、例えば、中心位置などに設けられる。この入光用穴部１４に合わせて、照明取付部（カップホルダ本体５の内奥部）の底面２には、入光部材１５を挿入するための開口部２１（図３参照）が形成される。
【００１９】
出射部１７は、遮光部材１９が取付けられた導光体１１の縁部から覗くように形成される。この場合、出射部１７は、導光体１１の外表面の縁部に沿って上方へ突出するように設けられている。導光体１１における出射部１７の下側の位置（導光体１１の底面の縁部）には、出射部１７へ向けて光を反射させる反射部１６が形成される。この反射部１６は、導光体１１の端部を角面取りした断面形状のものとされている。この角面取り形状の反射部１６は、光源１２からの光１３を入射角３９°〜６７．５°で反射する形状となるように設けられている。
【００２０】
また、出射部１７の表面には、出射される照明光１３ａを拡散させて均一化し得るようにする光拡散部１８が設けられる。この光拡散部１８は、シボ模様などのような細かい凹凸形状のものなどとされる。
【００２１】
導光体１１は、アクリルやポリカーボネートなどの透明な樹脂で構成された、ほぼ平板状のものとされる。導光体１１は、照明取付部（カップホルダ本体５の内奥部）の形状に合わせて形成される。この場合には、図７に示すように、二連形状のカップホルダ本体５に合わせて、平面視ほぼ８の字板状の導光体１１とされる。上記形状により、光源１２、入光部材１５、入光用穴部１４などは、二つの（容器収容部の）中心位置に対してそれぞれ設けられている。
【００２２】
遮光部材１９は、出射部１７の突出高さと同じか、それよりも若干低い高さとなる所要の厚みを有する暗色のエラストマーや樹脂などによって不透光性となるように形成される。遮光部材１９は、出射部１７の幅寸法の分だけ導光体１１よりも僅かに外形が小さなものとされる。なお、入光用穴部１４の位置に対しては、入光用穴部１４の内側へ遮光部材１９が入り込まないように形成される。
【００２３】
入光部材１５は、透明な樹脂によって導光体１１とは別体に形成される。入光部材１５は、入光用穴部１４に対して、下側や横側などから挿入される。入光部材１５の中心部には逆円錐状の入光用反射部１５ａが凹設形成される。逆円錐状の入光用反射部１５ａは、光１３を導光体１１の面に沿って放射状に拡散させるテーパ面を有しており、その軸線を光源１２の光軸に合わせて形成される。
【００２４】
（２）上記入光部材１５が、光源１２の表面を覆う光源保護カバー１５ｂに対して一体に形成される。
【００２５】
ここで、光源保護カバー１５ｂは、基板ケース１２ｂの上面に取付けられる。この場合、光源保護カバー１５ｂは透明な樹脂によって構成され、その外表面に入光部材１５が一体に突設形成される。この入光部材１５は、光源保護カバー１５ｂから入光用穴部１４内へ向けて上方へ突設する突起状のものとされる。
【００２６】
（３）上記導光体１１と上記遮光部材１９とが、一体に形成される（一体化部材５１）。
【００２７】
ここで、導光体１１と上記遮光部材１９とは、二色成形やインサート成形によって一体に形成することができる。この場合、二色成形は、１台の成形機で導光体１１と遮光部材１９とを順番に成形するものである。また、インサート成形は、予め製造した導光体１１を成形型へ入れて導光体１１と一体に遮光部材１９を成形するものである。或いは、導光体１１を成形した成形型に遮光部材１９を成形するための成形型を取り付けて導光体１１と一体に遮光部材１９を成形するものである。なお、導光体１１と上記遮光部材１９とは、構造的には、貼り合わせによって一体化することも可能である。
【００２８】
（４）そして、既に上記したが、上記照明装置１０を、底面２と側壁面３とを有して飲料容器４を収容保持可能な有底容器状のカップホルダ本体５に対し、底面２が遮光部材１９で覆われるように設置してカップホルダ１を構成する。
【００２９】
なお、上記では、照明装置１０を、カップホルダ本体５の底面２に設けて、側壁面３を照明させるようにしているが、これに限らず、照明装置１０を、カップホルダ本体５の側壁面３に設けて、底面２を照明させるようにしても良い。
【００３０】
（５）図６、図６Ａ（部分拡大図）に示すように、上記出射部１７は、上記遮光部材１９の表面と同じかそれよりも高い汚れ防止用高さ３１を有するものとされる。
【００３１】
ここで、汚れ防止用高さ３１は、遮光部材１９の厚みとの関係で定められる。即ち、汚れ防止用高さ３１は、遮光部材１９の厚みと同じかそれよりも若干高い突出高さに設定される。この際、汚れ防止用高さ３１は、遮光部材１９の表面より０〜１ｍｍ、好ましくは、０．５ｍｍ程度高く突出する凸形状とされる。更に、必要に応じて、出射部１７の遮光部材１９側の縁部は、角面取りすることができる（角面取部３２）。
【００３２】
（６）上記出射部１７は、出射された光１３がカップホルダ本体５の側壁面３を下側から照らし上げるように見せる側壁照明用出射幅４１とされる。
【００３３】
ここで、側壁面３を下側から照らし上げるとは、図２に示すように、側壁面３の下部を面状に照明すると共に、この下部の照明が下側から上側へ向かって徐々に薄くなって行くような輝度変化のある照明効果のことである（なお、図では、都合上、白黒逆転した状態に描いている）。側壁照明用出射幅４１は、概ね、１ｍｍ程度の範囲のものとされる（例えば、０．５ｍｍ〜１．２ｍｍ）。これは、出射部１７の幅がこれよりも広くなると、底面２の輪郭を強調する平面的な照明に変化してしまい、反対に、出射部１７の幅がこれよりも狭くなると、側壁面３に沿って光１３を十分に照らし上げるだけの光量が得られなくなることによる。なお、少なくとも、側壁面３の下部の照明が届く範囲に対して、蛍光塗料などを塗布しておくようにしても良い。
【００３４】
＜作用効果＞この実施例によれば、以下のような作用効果を得ることができる。
【００３５】
（１）入光部材１５を導光体１１とは別体に構成した。これにより、入光部材１５が遮光部材１９から分離したものとなるので、入光部材１５による導光体１１への入光に遮光部材１９が影響を与えるのを防止することが可能となる。よって、入光にとって最も重要な入光部材１５を最良の状態で形成して、入光部材１５で導光体１１の出射部１７へ効率良く導光させることができる。
【００３６】
（２）入光部材１５を、光源保護カバー１５ｂと一体に形成した。この光源保護カバー１５ｂで光源１２の表面を覆うことにより、光源１２の結露を防止することができる。そして、入光部材１５を光源保護カバー１５ｂに一体化することにより、光源保護カバー１５ｂを入光部材１５としても使用することができるので、部品点数を減らして構造の合理化を図ることが可能となる。
【００３７】
（３）導光体１１と遮光部材１９とを一体に成形した。これにより、部品点数や組付工数を減らして部品コストや製造コストを削減することが可能となると共に、導光体１１と遮光部材１９との組み合わせの精度や、出射部１７（の幅寸法）の精度を上げて、より均等で高品質な照明にすることが可能となる。
【００３８】
そして、導光体１１と遮光部材１９とを、一体に成形する場合、導光体１１に対して後から遮光部材１９を成形することになるが、このようにすると、後から成形する遮光部材１９の溶融樹脂によって導光体１１の表面を荒らしてしまうおそれがある。よって、導光体１１に入光部材１５を一体に設けた場合に、入光にとって最も重要な入光部材１５の表面が荒れることで、光源１２からの光１３が乱反射されて、効率良く出射部１７へ反射させることができなくなるおそれが高い。これに対し、上記したように、導光体１１と入光部材１５とを別体に構成して、導光体１１のみ遮光部材１９と一体に成形することで、入光部材１５の荒れを防ぎ、効率良く出射部１７へ向けて光源１２からの光１３を反射させることができるようになる。
【００３９】
（４）照明装置１０をカップホルダに設けた。これにより、照明装置１０でカップホルダを照明することができる。以下、上記照明装置１０をカップホルダに設けた場合の具体的な作用効果について説明する。
【００４０】
先ず、カップホルダ１は、底面２と側壁面３とを有する有底容器状のカップホルダ本体５に対し、上方から飲料容器４を挿入することによって、飲料容器４を収容保持することができる。
【００４１】
そして、カップホルダ本体５内に、その底面２を覆うように透明な導光体１１を設置した。これにより、光源１２を点灯すると、光源１２からの光１３は、入光部材１５を通り、入光用反射部１５ａで反射されて、入光用穴部１４から導光体１１内へ入光され、導光体１１内をカップホルダ本体５の底面２の外周側へ向けて反射され、外周部で反射部１６によって上側へ反射されて、出射部１７からカップホルダ本体５の底面２の外周縁部に沿って上方へ出射されることになる。
【００４２】
これにより、カップホルダ１の内部を照明することが可能となり、側壁面３と底面２との境界部分の位置や側壁面３の形状が把握し易くなる。以って、カップホルダ本体５の位置を確認し易くして、カップホルダ本体５に対する飲料容器４の出し入れを容易化することができる。また、飲料容器４や飲料が透明である場合には、これらを光らせることができる。
【００４３】
この際、出射部１７の表面に光拡散部１８を設けた。これにより、出射部１７から出射される照明光１３ａを拡散させて、照明の均一化を図ることができる。その結果、照明の見栄えを向上することができる。
【００４４】
更に、導光体１１の上部に、出射部１７を除いて導光体１１を覆う遮光部材１９を設けた。これにより、底面２の全面ではなく、側壁面３と底面２との境界部分に沿った照明を行うことができる。その結果、照明効果を高めることができる。
【００４５】
そして、飲料容器４は、通常、下狭まり形状となっているため、遮光部材１９の上に置かれることになると共に、出射部１７および光拡散部１８は、飲料容器４の底面を避けるようにカップホルダ本体５の側壁面３と底面２との境界（コーナー部）に沿って設置されていることにより、飲料容器４の擦れによる光拡散部１８の摩耗を低減しまたは防止し易くすることができる。
【００４６】
（５）出射部１７を、遮光部材１９の表面と同じかそれよりも高い汚れ防止用高さ３１を有するものとした。例えば、出射部１７を遮光部材１９の表面よりも低くした場合、飲料容器４の底面などから脱落したゴミなどの異物が出射部１７の上方へ移動して照明光１３ａの均一化効果を妨げるおそれが生じる。これに対し、本実施例のように出射部１７を、遮光部材１９の表面よりも高くした場合には、飲料容器４の底面などから脱落したゴミなどの異物が遮光部材１９の上に残るようなことが起こった場合でも、ゴミなどの異物が出射部１７の上方へ移動することはない。その結果、照明光１３ａの均一化効果を長期間に亘って持続することができる。
【００４７】
（６）出射部１７を、側壁照明用出射幅４１にして、出射部１７から出射された光１３によって、カップホルダ本体５の側壁面３を下側から照らし上げるように照明させるようにした。これにより、側壁面３が面で照明されることになるので、外部から照明を見易くすると共に、立体感のある照明を行うことができる。しかも、上へ行くに従って徐々に薄くなって行くような光１３の膜が生じるので、あたかもオーロラのような神秘的で高級感のある照明効果を演出することが可能となる。なお、出射部１７を側壁照明用出射幅４１よりも広くした場合には、側壁面３に対する照明が弱くなってしまい、底面２の輪郭のみが強調された平面的な照明に変わってしまうため、側壁面３の広い範囲を積極的に面で照明するような効果が得られず、立体感や高級感のない照明となってしまう。なお、側壁照明用出射幅４１となるのは、概ね１ｍｍ前後の範囲に限られる。
【００４８】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４９】
１    カップホルダ
２    底面
３    側壁面
４    飲料容器
５    カップホルダ本体
１１  導光体
１２  光源
１３  光
１４  入光用穴部
１５  入光部材
１５ｂ  光源保護カバー
１７  出射部
１９  遮光部材
【図１】
0006443682.tif 000002
【図２】
0006443682.tif 000003
【図３】
0006443682.tif 000004
【図４】
0006443682.tif 000005
【図５】
0006443682.tif 000006
【図６】
0006443682.tif 000007
【図６Ａ】
0006443682.tif 000008
【図７】
0006443682.tif 000009